(57)【特許請求の範囲】
【請求項１】
電気信号として入力された色分解画像信号を修正して目標色をシアンＣ，マゼンタＭ，イエローＹ，高彩度色材（特色）およびスミＫを用いて再現するための色分解画像修正方法であって、
Ｋおよび、特色を含む３色の有彩色により生成される少なくとも１つの分割色域と、前記分割色域とは異なる分割色域であって、Ｋおよび、任意の３色の有彩色により生成される少なくとも１つの分割色域との組み合わせで、かつ、いずれかの分割色域を生成する有彩色のいずれかがＣ、ＭおよびＹを含む合成色域を用いて、前記目標色に対応する原色量の組合せを前記分割色域で求め、前記原色量の組合せに基づいて画像出力に用いられる色材の組み合わせを求めることを特徴とする色分解画像修正方法。
【請求項２】
前記合成色域は、前記Ｋおよび、特色を含む３色の有彩色により生成される少なくとも１つの分割色域と、ＣＭＹＫの色域とを組み合わせた合成色域である、
ことを特徴とする請求項１記載の色分解画像修正方法。
【請求項３】
前記Ｋおよび、特色を含む３色の有彩色により生成される少なくとも１つの分割色域には、１色の特色と、その他の有彩色２色との組み合わせによる色域が含まれる、
ことを特徴とする請求項１記載の色分解画像修正方法。
【請求項４】
前記Ｋおよび、特色を含む３色の有彩色により生成される少なくとも１つの分割色域には、２色の特色と、その他の有彩色１色との組み合わせによる色域が含まれる、
ことを特徴とする請求項１記載の色分解画像修正方法。
【請求項５】
色材量を制限するステップを有する、
ことを特徴とする請求項１乃至請求項４のいずれかに記載の色分解画像修正方法。
【請求項６】
ＣＭＹＫの色域を除く前記合成色域、または、Ｋおよび、特色を含む３色の有彩色により生成される少なくとも１つの分割色域と、ＣＭＹＫの色域とを組み合わせた前記合成色域、
を用いて、画像出力に用いられる色材の組み合わせを求める、
ことを特徴とする請求項１記載の色分解画像修正方法。
【請求項７】
ＣＭＹＫの色域を除く前記合成色域、または、Ｋおよび、特色を含む３色の有彩色により生成される少なくとも１つの分割色域と、ＣＭＹＫの色域とを組み合わせた前記合成色域に基づいて、作成された色変換テーブルを複数備えており、色材の残量により前記色変換テーブルを切り替える、
ことを特徴とする請求項６記載の色分解画像修正方法。
【請求項８】
ＣＭＹＫの色域を除く前記合成色域、または、Ｋおよび、特色を含む３色の有彩色により生成される少なくとも１つの分割色域と、ＣＭＹＫの色域とを組み合わせた前記合成色域に基づいて、作成された色変換テーブルを複数備えており、入力された色分解画像信号の彩度情報に基づいて前記色変換テーブルを切り替える、
ことを特徴とする請求項６記載の色分解画像修正方法。
【請求項９】
前記色変換テーブルにスムージングを行う、
ことを特徴とする請求項７または請求項８に記載の色分解画像修正方法。
【請求項１０】
前記スムージングにより発生した誤差を別の色変換テーブルにより補正する、
ことを特徴とする請求項９記載の色分解画像修正方法。
【請求項１１】
測色用のチャートであって、請求項１乃至請求項５のいずれかの色分解画像修正方法により作られる組み合わせの色の出力により作成されたことを特徴とするチャート。
【請求項１２】
測色用のチャートであって、請求項１乃至請求項５のいずれかの色分解画像修正方法により作られる組み合わせの色の出力であって、重複する部分が除外されて作成されたことを特徴とするチャート。
【請求項１３】
電気信号として入力された色分解画像信号を修正して目標色をシアンＣ，マゼンタＭ，イエローＹ，高彩度色材（特色）およびスミＫの中から、Ｋと特色を含む３色の有彩色を用いて再現するための測色用のチャートであって、
互いに異なる組み合わせの前記チャートの間において、同じ色として重複する色票が除外されていることを特徴とするチャート。
【請求項１４】
電気信号として入力された色分解画像信号を修正して目標色をシアンＣ，マゼンタＭ，イエローＹ，高彩度色材（特色）およびスミＫの中から、Ｋと特色を含む３色の有彩色を用いて再現するための測色用のチャートであって、
特色を含むチャートでは特色を含まないチャートよりも色票が少ない、
ことを特徴とするチャート。
【請求項１５】
電気信号として入力された色分解画像信号に応じて画像記録するインクジェットプリンタにおいて、
前記色分解画像信号を前記請求項１乃至請求項１０の色分解画像修正方法により修正する色分解画像修正装置を有することを特徴とするインクジェットプリンタ。
【請求項１６】
前記インクジェットプリンタであって、
顔料による色材を用いたことを特徴とする請求項１５記載のインクジェットプリンタ。
【請求項１７】
Ｋについて少なくとも２種類の濃度の色材を用いることを特徴とする請求項１５記載のインクジェットプリンタ。
【請求項１８】
Ｋをなるべく使用するよう調整されたことを特徴とする請求項１７記載のインクジェットプリンタ。
【請求項１９】
前記色分解画像修正方法の実行と並行して、色域マッピング後の色座標を保持しておき、
この色座標を再現する他の機器の色材量の組み合わせを求める、
ことを特徴とする請求項１乃至請求項１０記載の色分解画像修正方法。
【請求項２０】
電気信号として入力された色分解画像信号を修正して目標色をシアンＣ，マゼンタＭ，イエローＹ，高彩度色材およびスミＫを用いて再現するための色分解画像修正装置であって、
Ｋおよび、特色を含む３色の有彩色により生成される少なくとも１つの分割色域と、前記分割色域とは異なる分割色域であって、Ｋおよび、任意の３色の有彩色により生成される少なくとも１つの分割色域との組み合わせで、かつ、いずれかの分割色域を生成する有彩色のいずれかがＣ、ＭおよびＹを含む合成色域を用いて、前記目標色に対応する原色量の組合せを前記分割色域で求め、前記原色量の組合せに基づいて色材の組み合わせを求める処理手段を備える、
ことを特徴とする色分解画像修正装置。
【請求項２１】
前記処理手段は、前記合成色域として、前記Ｋおよび、特色を含む３色の有彩色により生成される少なくとも１つの分割色域と、ＣＭＹＫの色域とを組み合わせた合成色域を用いる、
ことを特徴とする請求項２０記載の色分解画像修正装置。
【請求項２２】
前記Ｋおよび、特色を含む３色の有彩色により生成される少なくとも１つの分割色域には、１色の特色と、その他の有彩色２色との組み合わせによる色域が含まれる、
ことを特徴とする請求項２０記載の色分解画像修正装置。
【請求項２３】
前記Ｋおよび、特色を含む３色の有彩色により生成される少なくとも１つの分割色域には、２色の特色と、その他の有彩色１色との組み合わせによる色域が含まれる、
ことを特徴とする請求項２０記載の色分解画像修正装置。
【請求項２４】
前記処理手段は、色材量を制限する手段を有する、ことを特徴とする請求項２０乃至請求項２３のいずれかに記載の色分解画像修正装置。
【請求項２５】
ＣＭＹＫの色域を除く前記合成色域、または、Ｋおよび、特色を含む３色の有彩色により生成される少なくとも１つの分割色域と、ＣＭＹＫの色域とを組み合わせた前記合成色域と、を前記処理手段が用いる色域として指定可能な指示手段を有する、
ことを特徴とする請求項２１記載の色分解画像修正装置。
【請求項２６】
前記処理手段は、ＣＭＹＫの色域を除く前記合成色域、または、Ｋおよび、特色を含む３色の有彩色により生成される少なくとも１つの分割色域と、ＣＭＹＫの色域とを組み合わせた前記合成色域に基づいて、作成された色変換テーブルを複数備えており、色材の残量により前記色変換テーブルを切り替える、
ことを特徴とする請求項２５記載の色分解画像修正装置。
【請求項２７】
前記処理手段は、ＣＭＹＫの色域を除く前記合成色域、または、Ｋおよび、特色を含む３色の有彩色により生成される少なくとも１つの分割色域と、ＣＭＹＫの色域とを組み合わせた前記合成色域に基づいて、作成された色変換テーブルを複数備えており、入力された色分解画像信号の彩度情報に基づいて前記色変換テーブルを切り替える、
ことを特徴とする請求項２５記載の色分解画像修正装置。
【請求項２８】
前記処理手段は、前記色変換テーブルにスムージングを行う、
ことを特徴とする請求項２６または請求項２７に記載の色分解画像修正装置。
【請求項２９】
前記処理手段は、スムージングにより発生した誤差を別の色変換テーブルにより補正する、
ことを特徴とする請求項２８記載の色分解画像修正装置。
【請求項３０】
電気信号として入力された色分解画像信号を修正して目標色をシアンＣ，マゼンタＭ，イエローＹ，高彩度色材（特色）およびスミＫを用いて再現するための色分解画像修正処理プログラムが記録されたコンピュータ読取可能な記録媒体であって、
前記色分解画像修正処理プログラムは、Ｋおよび、特色を含む３色の有彩色により生成される少なくとも１つの分割色域と、前記分割色域とは異なる分割色域であって、Ｋおよび、任意の３色の有彩色により生成される少なくとも１つの分割色域との組み合わせで、かつ、いずれかの分割色域を生成する有彩色のいずれかがＣ、ＭおよびＹを含む合成色域を用いて、前記目標色に対応する原色量の組合せを前記分割色域で求め、前記原色量の組合せに基づいて色材の組み合わせを求めるステップを含んでいる、
ことを特徴とするコンピュータ読取可能な記録媒体。
【発明の詳細な説明】
【０００１】
【発明の属する技術分野】
本発明は、色分解画像修正方法、チャート、インクジェットプリンタ、色分解画像修正装置および記録媒体に関し、特に、高彩度色材を用いた画像出力装置で目標色を再現する色材を決定する際の改良に関する。
【０００２】
【従来の技術】
通常のイエローＹ，マゼンタＭ，シアンＣ，スミＫといった色材以外の、いわゆる高彩度色材（特色）を用いたプリンタでは色材数が多く、目標色を再現するための色材の割合を決定することが難しいという問題があった。
【０００３】
また、実用的な範囲での測定数で、このような色材数が多いプリンタの特性推定が可能な方法が望まれていた。
また、インクジェットプリンタでは色材数を増やすことが容易であり、多くの色材でも体系的な手法により求めることができる手法が望まれていた。
【０００４】
(1)特願平５−３６８１４号公報に記載の技術は、ＣＭＹＫを色材として用いるプリンタの色分解画像修正方法について、前色域を、Ｋを含む３色で表される３次元の色域に分割して制限を加えて、目標色に対するＣＭＹＫの組み合わせを求めるようにしていた。これは、ＣＭＹＫの４色のままでは任意の色を唯一に再現する組み合わせが存在しないためである。
【０００５】
(2)また、ＣＭＹＫの４色以外に高彩度色材（特色）としてオレンジＯとグリーンＧとを組み合わせて用いるプリンタの色域について論述したものとして、「HIFI Color Printing within a Color Management System」M.Mahy and D.D.Bear, The Fifth Color Imaging Conference: Color Science, Systems, and Applications, pp.277-283(1997) が存在している。なお、この論文においては、測色特性の推定には、解析モデルを使用している。
【０００６】
(3)そして、ＣＭＹＫを色材として用いる場合に、Ｋの量が増えてくるに従って測定点を減らすということについて、特開平２−８６３８８号公報に記載されている。
【０００７】
(4)また、３色プリンタの場合に測色調整する方法については、「Colorimetric calibration in electronic imaging devices using a look-up-table model and interpolations」 Po-Chieh Hung, Journal of Electronic Imaging 2(1), 53-61(1993)に記載されている。
【０００８】
(5)また、ＣＭＹＫの色域と他の３色による色域で構成される全色域を、なるべく特色を用いる方法・なるべく特色を用いないで出力する方法に関し、本件出願人は特願平１０−１９６００４号として提案を行っている。
【０００９】
(6)また、色材量を制限するため、Ｎ入力−Ｎ出力の関数を利用して、実際の色材の上限を決定する方法に関し、本件出願人は特願平１０−１９６００５号として提案を行っている。
【００１０】
(7)さらに、ＣＭＹＫと特色との組み合わせでミニマム・HiFiカラー（Min HFC）、マキシマム・HiFiカラー（Max HFC）に関する手法が、P.C. Hung Colorimetric Calibration for High Quality Color Printers, PPIC/JH: Pan-Pacific Imaging Conference/Japan Hardcopy '98 pp.147-150(1998)に提案されている。
【００１１】
【解決しようとする課題】
以上説明した従来技術は、それぞれ以下に述べるような問題を有している。
上記(1)の手法では、使用できる対象が４色のプリンタに限定され、ＣＭＹ以外の高彩度色材（特色）を用いたときには対応することができなかった。
【００１２】
また、上記(2)の手法では、ＣＭＹＫＯＧの中からの任意の４色を取り出して色域を演算し、使用する色材を決定していたため、候補が複雑になるにもかかわらず、実行条件が開示されていなかった。また、測色特性の推定は、解析モデルを利用しているため、オフセット印刷などの明確な面積変調タイプのみが対象となっており、実質的にインクジェットプリンタなどには応用することができなかった。
【００１３】
また、上記(3)の手法では、４色プリンタの場合が記載されているが、色材を多くすれば測定点が増えることになり実用的でなくなる。
また、上記(4)の手法についても、３色プリンタの例が記載されているが、色材を多くすれば測色調整をする測定点が増えて実用的でなくなる。
【００１４】
また、上記(5)の手法については、ＣＭＹＫ以外では３色色域との組み合わせになっており、一部の色域が使用できなくなっていた。
また、上記(6)の手法については、ＣＭＹＫと特色との組み合わせに応用する際の使用方法が具体的に示されていなかった。
【００１５】
また、上記(7)の手法については、
ＣＭＹＫ，ＲＭＹＫ，ＧＣＹＫ，ＢＭＣＫの組み合わせ、または、ＲＹＫ，ＹＧＫ，ＧＣＫ，ＣＢＫ，ＢＭＫ，ＭＲＫ，の組み合わせに限定されたそれぞれ、Min HFC、Max HFCが公開されたが、Ｋの使用方法を自由に選択することができなかった。
【００１６】
すなわち、以上のようなことから、
・特色を用いた色再現で色再現を単純化することができなかった
・特色を用いた色再現で色材量を自由に制限することができなかった
・キャラクタライゼーションのための測色点が多数必要であった
・特色を用いた色再現で色材残量などを考慮して色材量を設定することができなかった
・耐久性がある顔料を用いたインクジェットプリンタでは、色域が狭かった
・各色で淡色インクを用いると色域を拡大することが可能であるが、ヘッドが大型化し、色再現の計算量も膨大になる
といった問題が生じている。
【００１７】
本発明は、従来のＣＭＹＫ色域内の色再現手法と組み合わせ、それよりも色域が広い範囲に対して、適切な特色の利用手法を実現することを目的とする。
【００１８】
【課題を解決するための手段】
上述の課題を解決する本発明は以下に説明するようなものである。
（１）請求項１記載の発明は、電気信号として入力された色分解画像信号を修正して目標色をシアンＣ，マゼンタＭ，イエローＹ，高彩度色材（特色）およびスミＫを用いて再現するための色分解画像修正方法であって、Ｋおよび、特色を含む３色の有彩色により生成される少なくとも１つの分割色域と、前記分割色域とは異なる分割色域であって、Ｋおよび、任意の３色の有彩色により生成される少なくとも１つの分割色域との組み合わせで、かつ、いずれかの分割色域を生成する有彩色のいずれかがＣ、ＭおよびＹを含む合成色域を用いて、前記目標色に対応する原色量の組合せを前記分割色域で求め、前記原色量の組合せに基づいて画像出力に用いられる色材の組み合わせを求めることを特徴とする色分解画像修正方法である。
【００１９】
請求項２０記載の発明は、電気信号として入力された色分解画像信号を修正して目標色をシアンＣ，マゼンタＭ，イエローＹ，高彩度色材およびスミＫを用いて再現するための色分解画像修正装置であって、Ｋおよび、特色を含む３色の有彩色により生成される少なくとも１つの分割色域と、前記分割色域とは異なる分割色域であって、Ｋおよび、任意の３色の有彩色により生成される少なくとも１つの分割色域との組み合わせで、かつ、いずれかの分割色域を生成する有彩色のいずれかがＣ、ＭおよびＹを含む合成色域を用いて、前記目標色に対応する原色量の組合せを前記分割色域で求め、前記原色量の組合せに基づいて色材の組み合わせを求める処理手段を備える、ことを特徴とする色分解画像修正装置である。
【００２０】
この発明では、特色を使用した場合の色域を４色の色域の組み合わせの色域に分解するため、従来の４色プリンタに対する手法を利用することができる。そして、各色域にＫの設定を与えたり、特色の使用方法の設定を与えたりすることで、色材の組み合わせの自由度を高めることができる。
【００２１】
（２）請求項２記載の発明は、前記合成色域は、前記Ｋおよび、特色を含む３色の有彩色により生成される少なくとも１つの分割色域と、ＣＭＹＫの色域とを組み合わせた合成色域である、ことを特徴とする請求項１記載の色分解画像修正方法である。
請求項２１記載の発明は、前記処理手段は、前記合成色域として、前記Ｋおよび、特色を含む３色の有彩色により生成される少なくとも１つの分割色域と、ＣＭＹＫの色域とを組み合わせた合成色域を用いる、ことを特徴とする請求項２０記載の色分解画像修正装置である。
【００２２】
この発明では、上記（１）に加え、特色を用いた色域だけでは再現できない色域を作成することができ、また、従来のコストの低いＣＭＹＫの色材を利用できるようになる。
【００２３】
（３）請求項３記載の発明は、前記Ｋおよび、特色を含む３色の有彩色により生成される少なくとも１つの分割色域には、１色の特色と、その他の有彩色２色との組み合わせによる色域が含まれる、ことを特徴とする請求項１記載の色分解画像修正方法である。
【００２４】
請求項２２記載の発明は、前記Ｋおよび、特色を含む３色の有彩色により生成される少なくとも１つの分割色域には、１色の特色と、その他の有彩色２色との組み合わせによる色域が含まれる、ことを特徴とする請求項２０記載の色分解画像修正装置である。
【００２５】
この発明では、上記（１）に加え、ＣＭＹＫ色域と同じ測色点を供給することができ、測色を簡略化することができる。
（４）請求項４記載の発明は、前記Ｋおよび、特色を含む３色の有彩色により生成される少なくとも１つの分割色域には、２色の特色と、その他の有彩色１色との組み合わせによる色域が含まれる、ことを特徴とする請求項１記載の色分解画像修正方法である。
【００２６】
請求項２３記載の発明は、前記Ｋおよび、特色を含む３色の有彩色により生成される少なくとも１つの分割色域には、２色の特色と、その他の有彩色１色との組み合わせによる色域が含まれる、ことを特徴とする請求項２０記載の色分解画像修正装置である。
【００２７】
この発明では、上記（１）に加え、高明度、高彩度付近の色を再現できる効率的な組み合わせを実現することができる。
（５）請求項５記載の発明は、色材量を制限するステップを有する、ことを特徴とする請求項１乃至請求項４のいずれかに記載の色分解画像修正方法である。
【００２８】
請求項２４記載の発明は、前記処理手段は、色材量を制限する手段を有する、ことを特徴とする請求項２０乃至請求項２３のいずれかに記載の色分解画像修正装置である。
【００２９】
この発明では、上記（１）〜（４）に加え、色材量を制限できることで、プリンタや受像メディアの最大色材量に合わせた色材量の制限が可能になる。
（６）請求項６記載の発明は、ＣＭＹＫの色域を除く前記合成色域、または、Ｋおよび、特色を含む３色の有彩色により生成される少なくとも１つの分割色域と、ＣＭＹＫの色域とを組み合わせた前記合成色域、を用いて、画像出力に用いられる色材の組み合わせを求める、ことを特徴とする請求項１記載の色分解画像修正方法である。
【００３０】
請求項２５記載の発明は、ＣＭＹＫの色域を除く前記合成色域、または、Ｋおよび、特色を含む３色の有彩色により生成される少なくとも１つの分割色域と、ＣＭＹＫの色域とを組み合わせた前記合成色域、を前記処理手段が用いる色域として指定可能な指示手段を有する、ことを特徴とする請求項２１記載の色分解画像修正装置である。
【００３１】
この発明では、色材の自由な設定が可能になる。すなわち、グレー付近でのＫの使い方を指定可能であるため、グレーを安定させることが可能になる。また、高彩度付近での特色の使い方を指定可能であるため、コストに鑑みて特色の使用を削減することも可能になる。このため、Max BlackかつMin HFCといった使い方も可能になる。
【００３２】
（７）請求項７記載の発明は、ＣＭＹＫの色域を除く前記合成色域、または、Ｋおよび、特色を含む３色の有彩色により生成される少なくとも１つの分割色域と、ＣＭＹＫの色域とを組み合わせた前記合成色域に基づいて、作成された色変換テーブルを複数備えており、色材の残量により前記色変換テーブルを切り替える、ことを特徴とする請求項６記載の色分解画像修正方法である。
【００３３】
請求項２６記載の発明は、前記処理手段は、ＣＭＹＫの色域を除く前記合成色域、または、Ｋおよび、特色を含む３色の有彩色により生成される少なくとも１つの分割色域と、ＣＭＹＫの色域とを組み合わせた前記合成色域に基づいて、作成された色変換テーブルを複数備えており、色材の残量により前記色変換テーブルを切り替える、ことを特徴とする請求項２５記載の色分解画像修正装置である。
【００３４】
この発明では、色材の残量により効率的な色材の使い方を変更することが可能になる。
（８）請求項８記載の発明は、ＣＭＹＫの色域を除く前記合成色域、または、Ｋおよび、特色を含む３色の有彩色により生成される少なくとも１つの分割色域と、ＣＭＹＫの色域とを組み合わせた前記合成色域に基づいて、作成された色変換テーブルを複数備えており、入力された色分解画像信号の彩度情報に基づいて前記色変換テーブルを切り替える、ことを特徴とする請求項６記載の色分解画像修正方法である。
【００３５】
請求項２７記載の発明は、前記処理手段は、ＣＭＹＫの色域を除く前記合成色域、または、Ｋおよび、特色を含む３色の有彩色により生成される少なくとも１つの分割色域と、ＣＭＹＫの色域とを組み合わせた前記合成色域に基づいて、作成された色変換テーブルを複数備えており、入力された色分解画像信号の彩度情報に基づいて前記色変換テーブルを切り替える、ことを特徴とする請求項２５記載の色分解画像修正装置である。
【００３６】
この発明では、入力された色分解画像信号の彩度情報に応じて、効率的な色材の使い方を変更することが可能になる。
（９）請求項９記載の発明は、前記色変換テーブルにスムージングを行う、ことを特徴とする請求項７または請求項８に記載の色分解画像修正方法である。
【００３７】
請求項２８記載の発明は、前記処理手段は、前記色変換テーブルにスムージングを行う、ことを特徴とする請求項２６または請求項２７に記載の色分解画像修正装置である。
【００３８】
この発明では、色域間の接続部分での急激な色材量の変化を小さくし、プリンタの変動による疑似輪郭の発生を抑えることが可能になる。
（１０）請求項１０記載の発明は、前記スムージングにより発生した誤差を別の色変換テーブルにより補正する、ことを特徴とする請求項９記載の色分解画像修正方法である。
【００３９】
請求項２９記載の発明は、前記処理手段は、スムージングにより発生した誤差を別の色変換テーブルにより補正する、ことを特徴とする請求項２８記載の色分解画像修正装置である。
【００４０】
この発明では、スムージングによる色誤差を再びプリント調整することで、スムーズでありながら測色誤差の少ない色再現が可能になる。
（１１）請求項１１記載の発明は、測色用のチャートであって、請求項１乃至請求項５のいずれかの色分解画像修正方法により作られる組み合わせの色の出力により作成されたことを特徴とするチャートである。
【００４１】
この発明では、４色用のチャートの拡張によって特色を利用したチャートを作成することができるため、４色用の測色手法を用いることができる。
（１２）請求項１２記載の発明は、測色用のチャートであって、請求項１乃至請求項５のいずれかの色分解画像修正方法により作られる組み合わせの色の出力であって、重複する部分が除外されて作成されたことを特徴とするチャートである。
【００４２】
この発明では、４色用のチャートの拡張によって特色を利用したチャートを作成することができるだけでなく、重複部分が除外されているため、測色を簡略化することができる。
【００４３】
（１３）請求項１３記載の発明は、電気信号として入力された色分解画像信号を修正して目標色をシアンＣ，マゼンタＭ，イエローＹ，高彩度色材（特色）およびスミＫの中から、Ｋと特色を含む３色の有彩色を用いて再現するための測色用のチャートであって、互いに異なる組み合わせの前記チャートの間において、同じ色として重複する色票が除外されていることを特徴とするチャートである。
【００４４】
この発明では、重複部分が除外されているため、測色を簡略化することができる。
（１４）請求項１４記載の発明は、電気信号として入力された色分解画像信号を修正して目標色をシアンＣ，マゼンタＭ，イエローＹ，高彩度色材（特色）およびスミＫの中から、Ｋと特色を含む３色の有彩色を用いて再現するための測色用のチャートであって、特色を含むチャートでは特色を含まないチャートよりも色票が少ない、ことを特徴とするチャートである。
【００４５】
この発明では、特色を含むチャートでは特色を含まないチャートよりも色票が少なくなっている部分があるため、測色を簡略化することができる。
（１５）請求項１５記載の発明は、電気信号として入力された色分解画像信号に応じて画像記録するインクジェットプリンタにおいて、前記色分解画像信号を前記請求項１乃至請求項１０の色分解画像修正方法により修正する色分解画像修正装置を有することを特徴とするインクジェットプリンタである。
【００４６】
この発明では、ＣＭＹＫ以外に特色用のヘッドを設けることで実現でき、安定した色再現を行うことが可能になる。
（１６）請求項１６記載の発明は、前記インクジェットプリンタであって、顔料による色材を用いたことを特徴とする請求項１５記載のインクジェットプリンタである。
【００４７】
この発明では、耐久性はあるが色域が狭い問題を有する顔料を用いても、十分な色域で色再現を行うことが可能になる。
（１７）請求項１７記載の発明は、Ｋについて少なくとも２種類の濃度の色材を用いることを特徴とする請求項１５記載のインクジェットプリンタである。
【００４８】
この発明では、最低限のインクやヘッドの追加により、一番目に付きやすいグレー付近でのざらつき感を減らすことが可能になる。
（１８）請求項１８記載の発明は、Ｋをなるべく使用するよう調整されたことを特徴とする請求項１７記載のインクジェットプリンタである。
【００４９】
この発明では、最低限のインクやヘッドの追加により、一番目に付きやすいグレー付近でのざらつき感を安定して減らすことが可能になる。また、色域が広い範囲に対して最低限の特色の利用で済ませることが可能になる。
【００５０】
（１９）請求項１９記載の発明は、前記色分解画像修正方法の実行と並行して、色域マッピング後の色座標を保持しておき、この色座標を再現する他の機器の色材量の組み合わせを求める、ことを特徴とする請求項１乃至請求項１０記載の色分解画像修正方法である。
【００５１】
この発明では、色材用の色に分解することなくプルーフ用のテーブルを作成することが可能になり、その際の計算量を減らすことができる。
（２０）請求項３０記載の発明は、電気信号として入力された色分解画像信号を修正して目標色をシアンＣ，マゼンタＭ，イエローＹ，高彩度色材（特色）およびスミＫを用いて再現するための色分解画像修正処理プログラムが記録されたコンピュータ読取可能な記録媒体であって、前記色分解画像修正処理プログラムは、Ｋおよび、特色を含む３色の有彩色により生成される少なくとも１つの分割色域と、前記分割色域とは異なる分割色域であって、Ｋおよび、任意の３色の有彩色により生成される少なくとも１つの分割色域との組み合わせで、かつ、いずれかの分割色域を生成する有彩色のいずれかがＣ、ＭおよびＹを含む合成色域を用いて、前記目標色に対応する原色量の組合せを前記分割色域で求め、前記原色量の組合せに基づいて色材の組み合わせを求めるステップを含んでいる、ことを特徴とするコンピュータ読取可能な記録媒体である。
【００５２】
この発明では、特色を使用した場合の色域を４色の色域の組み合わせの色域に分解するため、従来の４色プリンタに対する手法を利用することができる。そして、各色域にＫの設定を与えたり、特色の使用方法の設定を与えたりすることで、色材の組み合わせの自由度を高めることができる。
【００５３】
【発明の実施の形態】
本発明の実施の形態例の色分解画像修正方法、チャート、インクジェットプリンタ、色分解画像修正装置および記録媒体について、図面を参照しつつ説明を行なう。
【００５４】
まず、図１を参照して、本発明の実施の形態例の色分解画像修正方法を実行するための色分解画像修正装置１の全体について説明を行なう。なお、ここに示す実施の形態例では、シアンＣ，マゼンタＭ，イエローＹ，スミＫ以外に高彩度色材（特色）としてレッドＲ，グリーンＧ，ブルーＢの３色を用いる場合を示す。なお、高彩度色材については、ここに示す色やその色数に限定されるものではない。
【００５５】
ここで、１０はアドレス信号形成手段であり、外部から供給される三種の入力信号のそれぞれについて入力レベルに応じたアドレス信号を形成するものであって、入力信号の各色（各成分）ごとにルックアップテーブル１１〜１３で構成されている。なお、ルックアップテーブル１１〜１３のそれぞれには、制御手段としてのコントローラ５０から１ビットの振り分け信号が供給されている。
【００５６】
なお、ここでの三種の入力信号は、ＣＭＹやＲＧＢといった色分解画像信号のほか、Ｌ*ａ*ｂ*やＸＹＺであってもよい。
２０は色再現情報記憶手段であり、色再現すべく入力される三種の入力信号により形成される色空間を複数の空間領域に分割し、その空間領域での組み合わせに対する色再現情報が格納されている。ここでは、三種の入力信号を３色の特色を含んだＣＭＹＫＲＧＢ合計７色の信号として出力すべく、ＣＭＹＫＲＧＢに対応したルックアップテーブル２１〜２７により構成されている。
【００５７】
重み係数記憶手段２５は入力された色分解画像信号に基づいていろ色再現情報記憶手段２０より選択される複数の色再現情報のそれぞれに対する重み付け情報を記憶しており、必要に応じて重み係数を出力する。
【００５８】
３０は掛け算手段と割り算手段とからなる処理手段であり、前記色再現情報記憶手段２０からの色再現情報と前記重み係数記憶手段２５からの重み係数とを掛け算し、その値を累積することにより、最終的に得ようとするＣＭＹＫＲＧＢの修正色分解画像信号それぞれを得るものである。このため、掛算器３１ａ〜３７ａと、累算器３１ｂ〜３７ｂにより構成されている。
【００５９】
４０は出力手段であり、処理手段３０からの修正色分解画像信号（累算出力）それぞれをラッチ４１〜４７によりラッチして出力するものである。この際に必要となるラッチパルスはコントローラ５０により生成される。また、ユーザの指示は指示手段６０を介してコントローラ５０に入力される。
【００６０】
ここで、図１の色再現情報記憶手段２０に入れるデータの求め方として、本実施の形態例では、Ｎ色から適切な３色ないしは４色を選択して複数の分割色域を作り、これらを組み合せた合成色域を利用して色再現する分割法を用いる。
【００６１】
この場合において、同じ色を再現する場合でもできるだけ特色を用いて再現する組み合せをMaximum HFC（以下、Max HFC）と呼び、できるだけ特色を用いずに再現する組み合せをMinimum HFC（以下、Min HFC）と呼ぶ。これは４色の色再現問題で、既知の手法であるMaximum Black（以下、Max Black）とMinimum Black（以下、Max Black）の考え方を拡張したものである。
【００６２】
特色の色再現：
ところで、特色の典型的な選択方法は、ＣＭＹＫに加え、ＢＧＲなどの二次色の原色を付け加えることである。色数が増えると測色特性を得るための測色点（characterization data）が級数的に増える問題がある。特色をＢＧＲとした場合、合計の色数は７色となるため、単純には各色中間レベル数の７乗もの測色点を必要とする。
【００６３】
例えば各色５点ずつの中間レベルであれば、７色では、５7＝７８１２５にもなり、自動測定装置を用いたとしても実用的な測色点数とはいえない。さらに、この場合、すべての色を同時に用いる組み合せを含むが、各色インク１色を１００％としたとき、総インク量を７００にして用いることは、記録紙の乾燥時間などの問題から現実的ではない。
【００６４】
なお、本願明細書においては、ＭNと表記しているばあいは、ＭのＮ乗であることを意味している。
そこで最大４色の組み合せとして分割色域を作り、この組み合わせで全色域を構成することを考える。ただし、最大インク量が４００％でも乾燥やインク吸収量を考えるとまだ多過ぎることが知られている。印刷では３００〜４００％と言われ、吸収容量の少ないメディアを用いたインクジェットプリンタは２００％前後になる。既にＫを含む４色では色材量制限が利用できることから、Ｋと有彩色３色の組み合せによる分割法を考察する。
【００６５】
無彩色Ｋを含む合計Ｎ色とすると、分割法による組み合せ数Ｍは、
Ｍ＝（（Ｎ−１）！）／（（Ｎ−４）！３！）
で示される。
【００６６】
特色としてＢＧＲを用いたときにはＮ＝７になるので、２０の分割色域ができる。
その中から、ＣＭＹＫ色域およびその他の組み合わせで高明度付近の色域を再現できるもの（hi-fi色域と呼ぶ）は、ＹＲＭＫ，ＹＧＣＫ，ＭＢＣＫ，ＲＫＧＫ，ＧＣＢＫ，ＢＭＲＫ，の各分割色域からの組み合わせになる。
【００６７】
なお、特色の色域を明確にするため、印刷のＣＭＹＫ原色の反射率およびＣＲＴのＢＧＲ原色の反射率換算の分光反射率をもった色材を仮定し、また、濃度加法則で計算して、特色を用いたプリンタの特性をＣＭＹＫＲＧＢの各色材を用いて調べたところ、以下のことが判明した。
【００６８】
ここで、組み合わせた場合に最大の色域を確保できる組み合わせとしては、
・ＹＲＭＫ，ＹＧＣＫ，ＭＢＣＫの分割色域を合成して得た合成色域Ａ、
・ＲＫＧＫ，ＧＣＢＫ，ＢＭＲＫの分割色域を合成して得た合成色域Ｂ、
の２つであることが明らかになった。
【００６９】
これらの、ＹＲＭＫ，ＹＧＣＫ，ＭＢＣＫの分割色域を合成して得た合成色域Ａと、ＲＫＧＫ，ＧＣＢＫ，ＢＭＲＫの分割色域を合成して得た合成色域Ｂとにおいて、３色域の合成色域では高明度の色域は再現できるが、低明度の色域は完全に再現できないことが判明した。全色域を再現するためにはより多くの分割色域を必要とするが、もともと特色の使用目的が高明度高彩度部分の色域拡大にあること、暗部のわずかな違いであることから、以後、この３色域による合成色域を対象として説明する。
【００７０】
次に、この２種類の合成色域のいずれを用いるか決める上で、以下の分割色域の性質を考慮する：
・hi-fi色域でMin Blackを指定するといずれの分割色域も縮退してしまい（後述）、高彩度付近のみの色域となるため低彩度のＣＭＹＫ色域を必要とする。
・合成色域Ａは、Min HFCとする場合にＣＭＹＫ色域の境界面と同じ、例えば、Ｗ−Ｙ−Ｍ−ＹＭを４頂点とする面が存在するのに対し、合成色域Ｂの組み合せではこの面に対応する組み合せが存在しない。
・合成色域Ｂは合成色域Ａに比ベＣＭＹＫ色域と共通な色票が少ないため、測色点を減らしにくい。
【００７１】
以上の性質から、以後、特色を用いた４色からなる３つの色域が合成された合成色域Ａと、ＣＭＹＫ色域とを組み合せた、合計４つの色域でできる合成色域を用いることが望ましい。
【００７２】
手順：
ここで、あらかじめMax Black／Min BlackおよびMax HFC／Min HFCを限定しない特色色再現の手順を以下に示す。
【００７３】
ステップ１：
まず、上述した合成色域Ａについてのチャート（カラーパッチ）を作成する。ここでは、基本となるＣＭＹＫの色域と、ＹＲＭＫ，ＹＧＣＫ，ＭＢＣＫの分割色域を合成して得た合成色域Ａとから構成されたチャートを作成する。ここで、図２はＣＭＹＫのチャートを示し、図３はＹＲＭＫのチャートを示し、図４はＹＧＣＫのチャートを示し、図５はＭＢＣＫのチャートを示している。このようなチャートを用いることで、従来の４色用のチャートの拡張によって特色を利用したチャートを作成することができるため、４色用の測色手法を用いることができるようになる。
【００７４】
ステップ２：
ＣＭＹＫ色域と合成色域Ａの３色域の格子点に対する測色値を得る。ここで各色域の格子点数としては、３１２（＝５3＋５3＋３3＋３3＋２3）程度を用いる。すなわち、上述した図２〜図５のチャートの格子点全てでは測定点数が多いため、ＣＭＹＫのチャートに関しては図６に示すようにして３１２個の測色値を得る。図３乃至図５に示した他の色域についても同様である。
【００７５】
測定点数を減らすには、
▲１▼暗くなるにしたがって、色のステップ（色票）を減らす（図６参照）。
▲２▼分割色域のチャート（図２〜図５）の間で、重複色票を削除する（不図示）。
▲３▼特色増加のときのステップ数を減らす。たとえば、図３でＲが５ステップ（R=0,64,128,192,255）あるのを３ステップ（R=0,128,255）に減らす（図７参照）。
【００７６】
この場合、４色用のチャートの拡張によって特色を利用したチャートを作成することができるだけでなく、重複部分が除外され、さらに特色のステップ数が削減されており、測色を簡略化することができる。
【００７７】
ステップ３：
それぞれのデータを補間し、４つの色立体についてＬＵＴモデル（ｎ4のシステム値入力で、均等色空間の座標であるＬＣＣ出力を持つＬＵＴ）を作成する。
【００７８】
ステップ４：
目標とする機器のＬＵＴモデル（ｍ3のシステム値入力で、ＬＣＣ出力を持つ）を作成する。
【００７９】
ステップ５：
目標とする機器の各ＬＣＣ値を４つの色域について探索し、色域マッピングを行うための圧縮直線（Ｌ*軸からの放射線）の最も外側の値を求める。
【００８０】
ステップ６：
色域マッピング方法に従い、目標横器のＬＣＣ値に村応するマッピング先ＬＣＣ値を決定する。
【００８１】
ステップ７：
それぞれの色域で対応する原色量の組み合わせ（以後、原色量と呼ぶ）を求める。同時に色域内外を判定する。
【００８２】
ステップ８：
（ａ）Min HFCの場合：ＣＭＹＫ色域内にある場合は、この原色量を与える。ＣＭＹＫ色域外の場合には、いずれかのhi-fi色域にあるはずなので、それを探して原色量を与える。
（ｂ）Max HFCの場合：hi-fi色域で色域内になるものを選び、その色度点を与える。シャドー部でいずれのhi-fi色域にも属さない場合は、ＣＭＹＫ色域の原色量を与える。なお、各分割色域内で計算は、Min Black、Max Blackの指定に従い、原色量を算出する。
【００８３】
ステップ９：
これを目標槻器のＬＵＴモデルの格子点すべてについて行い、目標機器から出力機器への関係を作るデバイスリンクプロファイルを作る。
【００８４】
そして、以上のステップ１〜ステップ９のようにして求められた特色色再現のための色再現情報が、色再現情報記憶手段２０（ルックアップテーブル２１〜２７）に記憶される。
【００８５】
以上の手順のようにすることで、特色を使用した場合の色域を４色の色域の組み合わせの色域に分解するため、従来の４色プリンタに対する手法を利用することができる。そして、各色域にＫの設定を与えたり、特色の使用方法の設定を与えたりすることで、色材の組み合わせの自由度を高めることができる。
【００８６】
また、以上のように、特色を用いた色域と従来のＣＭＹＫの色域との両方を含めるようにしたことで、特色を用いた色域だけでは再現できない色域を作成することができ、また、従来のコストの低いＣＭＹＫの色材を利用できるようになる。
【００８７】
なお、本実施の形態例で生成される色域には、少なくとも１色の特色と、その他の２色との組み合わせによる色域が含まれる（上述の合成色域Ａ）ため、ＣＭＹＫ色域と同じ測色点を供給することができ、測色を簡略化することができる。
【００８８】
また、別の実施の形態例で生成される色域には、少なくとも２色の特色と、その他の１色との組み合わせによる色域が含まれる（上述の合成色域Ｂ）ため、高明度、高彩度付近の色を再現できる効率的な組み合わせを実現することができる。
【００８９】
また、本実施の形態例では、色材量を制限するステップまたは手段を有することで、色材量を制限でき、プリンタや受像メディアの最大色材量に合わせた色材量の制限が可能になる。
【００９０】
また、本実施の形態例では、色材の設定方法として、グレー付近でのＫの使い方、および、高彩度付近での特色の使い方が指定可能であることを特徴としている。すなわち、ＣＭＹＫ色域と各hi-fi色域で、それぞれＫの使用方法が選べ、さらにＣＭＹＫ色域、hi-fi色域の使用方法によりバリエーションが生じる。
【００９１】
すなわち、
・ＣＭＹＫ色域のＫの使用方法（Max Black／Min Black／Smoothest Black）
・各hi-fi色域のＫの使用方法（Max Black／Min Black）
・上記色域同士の使用方法（Max HFC／Min HFC）
について、それぞれを組み合わせろと、数多くの選択肢が発生する。実用的には、グレー付近のＫの取り扱い、また、高い彩度付近での特色の取り扱いのそれぞれについて選択肢を与えることで十分であろう。この取り扱いの選択肢をまとめると、図８に示すようになる。
【００９２】
ここでは、指示手段６０（図１参照）を介したユーザの指定により、パターン１〜パターン４が考えられる。この実施の形態例では、色材の自由な設定が可能になる。すなわち、グレー付近でのＫの使い方を指定可能であるため、グレーを安定させることが可能になる。また、高彩度付近での特色の使い方を指定可能であるため、コストに鑑みて特色の使用を削減することも可能になる。このため、Max BlackかつMin HFCといった使い方も可能になる。
【００９３】
また、本発明の実施の形態例では、以上のような色材の設定のために作成された色変換テーブル（図１におけるＬＵＴ）を複数備えており、色材の残量により切り替える、ことを特徴としている。例えば２種類のＲ1（第１の赤）とＲ2（第２の赤）を用いた場合、ＹＲ1ＭＫとＹＲ2ＭＫの２つの色立体が発生する。このとき、この２の色立体は明らかにオーバーラップするため、その部分の色座標の再現時にはいずれの色域を利用するかを決定する必要がある。この場合、どちらかに優先順位をつけ、双方の色立体に含まれている場合には優先順位の高い色の組み合せを割り振る。現実的には、色材価格の低い方を優先したり、優先順位を変えた２種類のＬＵＴをつくっておき色材の残量で切りかえるなどの利用方法が考えられる。この結果、色材の残量により効率的な色材の使い方を変更することが可能になる。
【００９４】
また、本発明の実施の形態例では、以上のような色材の設定のために作成された色変換テーブル（図１におけるＬＵＴ）を複数備えており、入力された色分解画像信号の絵柄の種類により切り替える、ことも可能である。なお、ここで「絵柄」とは、画像に含まれる高彩度の面積の大小などを意味する。たとえば、グレー成分が多ければ、ＣＭＹＫの色材を用いるようにし、高彩度であれば特色の色材を用いるようにする。この結果、入力された色分解画像信号の絵柄に応じて、効率的な色材の使い方を変更することが可能になる。
【００９５】
また、本発明の実施の形態例では、以上のような色材の設定のために作成された色変換テーブル（図１におけるＬＵＴ）を複数備えており、スムージングを行う、ことを特徴としている。
【００９６】
すなわち、本手法では分割法の問題点がそのまま残り、組み合わせた色域境界で滑らかな原色量の変化が保証されないため、プリンタの特性変動時に疑似輪郭の要因となる問題がある。４色の場合は全ての特性が測定できたため、Smoothest Black法で目標色を保証しながら色立体間の接続が滑らかになるようにすることができた。しかし、hi-fi印刷の場合、色材数が多すぎて、すべての特性を測定できないため、目標色を維持することができない。
【００９７】
まず、分割されたＣＭＹＫ色域及び、hi-fi色域でのSmoothest Blackの適用を考察する。ＣＭＹＫ色域に対しては、Smoothest Blackを適用可能であるが、hi-fi色域内では次の問題が発生し、適用ができない。すなわち、hi-fi色域ではMax Blackに比べて、Min Black時の色域体積が大きく減少する。
【００９８】
この状況を図９に示す。ＣＭＹＫ色域では色域が凸のためMin Black，Max Blackともに同一体積（図９（ａ），（ｂ））だったが、色域形状が凹になるhi-fi色域では同一体積が保証されない（図９（ｂ）（ｃ））。
【００９９】
このためMin HFC時のＣＭＹＫ色域についてはSmoothest Blackが適用可能なものの、hi-fi色域内、ＣＭＹＫ色域間では滑らかな接続が保証されない。
そこで、出来上がったＬＵＴを単純に直接スムージングした時の色変化を調べた。そして、色変換テーブルに対し、この出力を次式で平均する。
【０１００】
【数１】
0004081944.tif 000002
【０１０１】
ここで、ＳはＬＵＴの出力でＣＭＹＫＢＧＲのいずれかとする。
k,j,iはＬＵＴのグリッドの座標で、範囲は、0〜L-1とする（LはＬＵＴの格子点数）。ただし、k+kk,j+jj,i+iiが０未満、または、L-1を超える場合には、その軸方向のデータは平均化データとして参入しない。これにより色域の縮小を防ぐ。
【０１０２】
以上の式により平均化されたＬＵＴの出力から、前述のプリンタモデルを用いて色座標を計算し、元のＬＵＴから計算された色座標と比較する。平均化回数と、白−黒、シアン−赤マゼンタ−緑、黄−青のグラデーションの原色量の変化（黄−青のみ）と平滑化による誤差増加は図１０のようになる。
【０１０３】
これを見ると部分的に大きな誤差が発生している。この理由は青付近でもともと誤った色が算出されたためで、平滑化がこの誤った色を消す効果を果たしているためと考えられる。しかし、この特異点を除けば、同プリンタシステムにおいては最大色差５程度を許すと、図１１に示すように原色量の変化が明確に滑らかになることが分かる。なお、この誤差を補正する必要があれば、ここで作成したＬＵＴを「接続関数」として用い、再プリントして、微調整用ＬＵＴを作成することで精度向上が可能である。このような実施の形態例では、色域間の接続部分での急激な色材量の変化を小さくし、プリンタの変動による疑似輪郭の発生を抑えることが可能になる。
【０１０４】
なお、ここで、「接続関数」とは、図１２に示すように、予め少ない変数との接続関数を決定して、架空の３色ないしは４色プリンタを構成し、それに対して従来の色再現の手法を適用するためのものである。
【０１０５】
すなわち、図１２に示す例では、１００は入力信号（Ｌ*ａ*ｂ*、ＲＧＢ、ＸＹＺなど）から修正された色分解画像信号（ＣＭＹＫＲＧＢ）への変換を行う最終的なプロファイルであり、変換テーブルとしてのプロファイルを保持するプロファイル保持部１１０と、接続関数を備えたＬＵＴ１２０とを備えている。また、２００はＮ色のプリンタであり、ここではＣＭＹＫＲＧＢの７色の色材で画像形成を行うものである。そして、前記接続関数１２０とプリンタ２００とにより、仮想のプリンタ３００が構成されている。
【０１０６】
＜その他の実施の形態例＞
▲１▼インクジェットプリンタへの応用：
以上説明した色分解画像修正方法または色分解画像修正装置をインクジェットプリンタに提要することで、ＣＭＹＫ以外に特色用のヘッドを設けることで実現でき、安定した色再現を行うことが可能になる。
【０１０７】
また、本発明を適用したインクジェットプリンタでは、顔料による色材を用いることが好ましい。この場合は、耐久性はあるが色域が狭い問題を有する顔料を用いても、十分な色域で色再現を行うことが可能になる。
【０１０８】
また、本発明を適用したインクジェットプリンタでは、Ｋについて少なくとも２種類の濃度の色材を用いることが好ましい。このようにすることで、最低限のインクやヘッドの追加により、一番目に付きやすいグレー付近でのざらつき感を減らすことが可能になる。また、そのようなインクジェットプリンタでは、Max BlackのようにＫをなるべく使用するよう調整されていることが好ましい。これにより、最低限のインクやヘッドの追加により、一番目に付きやすいグレー付近でのざらつき感を安定して減らすことが可能になる。また、色域が広い範囲に対して最低限の特色の利用で済ませることが可能になる。また、Ｋに加え、もしくは、Ｋの代わりに、高濃度の特色（たとえばＢ）について２種類の濃度の色材を用いるようにしても、同様な効果が得られる。
【０１０９】
▲２▼カラープルーフへの応用：
なお、本発明において、以上説明した色分解画像修正処理の実行と並行して、色域マッピング後の色座標を保持しておき、この色座標を再現する他の機器（ＣＲＴディスプレイやプリンタ）の色材量の組み合わせを求める、ことも好ましい。この手法では、色材用の色に分解するすることなくプルーフ用のテーブルを作成することが可能になり、その際の計算量を減らすことができる。たとえば、従来はＬ*ａ*ｂ*からＮ色（たとえば、７色）のデータに変換し、そのＮ色のデータからさらにＲＧＢの３色のデータを求めるようにしていたが、この手法ではＬ*ａ*ｂ*を色域マッピングして生成したＬ*′ａ*′ｂ*′を保持しておき、そこからＣＲＴディスプレイであればＲＧＢの値を求めればよい。
【０１１０】
▲３▼処理プログラムへの応用：
なお、以上説明した色分解画像修正処理のプログラム、すなわち、電気信号として入力された色分解画像信号を修正して目標色をシアンＣ，マゼンタＭ，イエローＹ，高彩度色材（特色）およびスミＫを用いて再現するための色分解画像修正処理プログラムであって、前記色分解画像修正処理プログラムは、Ｋおよび、有彩色の３色により生成される複数の色域を組み合わせて、実際に用いられる色材の組み合わせを求めるステップと、特色の使用方法かＫの設定方法のいずれかまたは両方が与えられるステップと、を含むものが記録されたコンピュータ読取可能な記録媒体も、本発明の一部を構成している。
【０１１１】
【発明の効果】
以上詳細に説明した本発明によれば、以下のような効果が得られる。
（１）請求項１と請求項２０記載の発明では、特色を使用した場合の色域を４色の色域の組み合わせの色域に分解するため、従来の４色プリンタに対する手法を利用することができる。そして、各色域にＫの設定を与えたり、特色の使用方法の設定を与えたりすることで、色材の組み合わせの自由度を高めることができる。
【０１１２】
（２）請求項２と請求項２１に記載の発明では、特色を用いた色域だけでは再現できない色域を作成することができ、また、従来のコストの低いＣＭＹＫの色材を利用できるようになる。
【０１１３】
（３）請求項３と請求項２２に記載の発明では、ＣＭＹＫ色域と同じ測色点を供給することができ、測色を簡略化することができる。
（４）請求項４と請求項２３に記載の発明では、高明度、高彩度付近の色を再現できる効率的な組み合わせを実現することができる。
【０１１４】
（５）請求項５と請求項２４に記載の発明では、色材量を制限できることで、プリンタや受像メディアの最大色材量に合わせた色材量の制限が可能になる。
（６）請求項６と請求項２５に記載の発明では、色材の自由な設定が可能になる。すなわち、グレー付近でのＫの使い方を指定可能であるため、グレーを安定させることが可能になる。また、高彩度付近での特色の使い方を指定可能であるため、コストに鑑みて特色の使用を削減することも可能になる。このため、Max BlackかつMin HFCといった使い方も可能になる。
【０１１５】
（７）請求項７と請求項２６に記載の発明では、色材の残量により効率的な色材の使い方を変更することが可能になる。
（８）請求項８と請求項２７に記載の発明では、入力された色分解画像信号の絵柄に応じて、効率的な色材の使い方を変更することが可能になる。
【０１１６】
（９）請求項９と請求項２８に記載の発明では、色域間の接続部分での急激な色材量の変化を小さくし、プリンタの変動による疑似輪郭の発生を抑えることが可能になる。
【０１１７】
（１０）請求項１０と請求項２９に記載の発明では、スムージングによる色誤差を再びプリント調整することで、スムーズでありながら測色誤差の少ない色再現が可能になる。
【０１１８】
（１１）請求項１１記載の発明では、４色用のチャートの拡張によって特色を利用したチャートを作成することができるため、４色用の測色手法を用いることができる。
【０１１９】
（１２）請求項１２記載の発明では、４色用のチャートの拡張によって特色を利用したチャートを作成することができるだけでなく、重複部分が除外されているため、測色を簡略化することができる。
【０１２０】
（１３）請求項１３記載の発明では、重複部分が除外されているため、測色を簡略化することができる。
（１４）請求項１４記載の発明では、特色を含むチャートにおいて特色を含まないチャートよりも色票が少なくなっている部分があるため、測色を簡略化することができる。
【０１２１】
（１５）請求項１５記載の発明では、インクジェットプリンタに、ＣＭＹＫ以外に特色用のヘッドを設けることで実現でき、安定した色再現を行うことが可能になる。
【０１２２】
（１６）請求項１６記載の発明では、インクジェットプリンタにおいて、耐久性はあるが色域が狭い問題を有する顔料を用いても、十分な色域で色再現を行うことが可能になる。
【０１２３】
（１７）請求項１７記載の発明では、インクジェットプリンタにおいて、最低限のインクやヘッドの追加により、一番目に付きやすいグレー付近でのざらつき感を減らすことが可能になる。
【０１２４】
（１８）請求項１８記載の発明では、インクジェットプリンタにおいて、最低限のインクやヘッドの追加により、一番目に付きやすいグレー付近でのざらつき感を安定して減らすことが可能になる。また、色域が広い範囲に対して最低限の特色の利用で済ませることが可能になる。
【０１２５】
（１９）請求項１９記載の発明では、色材用の色に分解することなくプルーフ用のテーブルを作成することが可能になり、その際の計算量を減らすことができる。
【０１２６】
（２０）請求項３０記載の発明では、特色を使用した場合の色域を４色の色域の組み合わせの色域に分解するため、従来の４色プリンタに対する手法を利用することができる。そして、各色域にＫの設定を与えたり、特色の使用方法の設定を与えたりすることで、色材の組み合わせの自由度を高めることができる。
【図面の簡単な説明】
【図１】本発明の実施の形態例の色分解画像修正方法、チャート、インクジェットプリンタ、色分解画像修正装置および記録媒体で使用する装置の電気的構成を機能ブロックごとに示すブロック図である。
【図２】本発明の実施の形態例のチャートの一例を示す説明図である。
【図３】本発明の実施の形態例のチャートの一例を示す説明図である。
【図４】本発明の実施の形態例のチャートの一例を示す説明図である。
【図５】本発明の実施の形態例のチャートの一例を示す説明図である。
【図６】本発明の実施の形態例のチャートの一例を示す説明図である。
【図７】本発明の実施の形態例のチャートの一例を示す説明図である。
【図８】本発明の実施の形態例における色材の組み合わせの例を示す説明図である。
【図９】本発明の実施の形態例における色域体積の様子を模式的に示す説明図である。
【図１０】本発明の実施の形態例における平滑化による誤差増加の様子を示す説明図である。
【図１１】本発明の実施の形態例におけるスムージング回数による誤差変化の様子を示す説明図である。
【図１２】本発明の実施の形態例における接続関数の説明をする説明図である。
【符号の説明】
１０  アドレス信号形成手段
２０  色再現情報記憶手段
２５  重み係数記憶手段
３０  処理手段
４０  出力手段
５０  コントローラ
６０  指示手段
【図１】
0004081944.tif 000003
【図２】
0004081944.tif 000004
【図３】
0004081944.tif 000005
【図４】
0004081944.tif 000006
【図５】
0004081944.tif 000007
【図６】
0004081944.tif 000008
【図７】
0004081944.tif 000009
【図８】
0004081944.tif 000010
【図９】
0004081944.tif 000011
【図１０】
0004081944.tif 000012
【図１１】
0004081944.tif 000013
【図１２】
0004081944.tif 000014